(57)【要約】【課題】小型化を図ると共に、製造の簡略化を図ることのできる内燃機関の動弁装置を提供することを目的とする。【解決手段】本発明は、シリンダヘッド４０に回転自在に設けられるカムシャフト４５と、カムシャフト４５と一体に回転可能且つカムシャフト４５の軸方向にスライド可能に設けられる３次元カム８５と、カムシャフト４５に対して平行移動可能に設けられるカムフォーク９４と、カムフォーク９４と３次元カム８５との間に介装されカムフォーク９４の平行移動に伴って３次元カム８５をスライドさせる転がり軸受９６と、を備えた内燃機関の動弁装置１００において、３次元カム８５はカムシャフト４５の軸方向に対して一方向に傾斜するカム面８６を有し、転がり軸受９６は３次元カム８５のカム高さの低い側の端部９５に設けられていることを特徴とする。【選択図】図５
2013155648.tif 000002
【特許請求の範囲】
【請求項１】
シリンダヘッドに回転自在に設けられるカムシャフトと、該カムシャフトと一体に回転可能且つ該カムシャフトの軸方向にスライド可能に設けられる３次元カムと、前記カムシャフトに対して平行移動可能に設けられるカムフォークと、該カムフォークと前記３次元カムとの間に介装され該カムフォークの平行移動に伴って前記３次元カムをスライドさせる転がり軸受と、を備えた内燃機関の動弁装置において、
前記３次元カムは前記カムシャフトの軸方向に対して一方向に傾斜するカム面を有し、前記転がり軸受は前記３次元カムのカム高さの低い側の端部に設けられていることを特徴とする内燃機関の動弁装置。
【請求項２】
前記転がり軸受は、前記３次元カムの端部の径方向外側に設けられる内輪と、該内輪の径方向外側に転動体を介して設けられる外輪と、を備え、前記カムフォークは前記外輪の軸方向側端面に当接するように設けられていることを特徴とする請求項１に記載の内燃機関の動弁装置。
【請求項３】
前記カムフォークは、前記カム面側の前記外輪の端面に当接してカム高さの低い側のカム面にオーバーラップするように設けられていることを特徴とする請求項２に記載の内燃機関の動弁装置。
【請求項４】
前記カムフォークの先端部は軸方向に二股状に形成され、前記一方の先端部が前記カム面側の前記外輪の端面に当接し、前記他方の先端部が前記外輪の径方向外側に設けられる当接部材の反カム面側端面に当接するように形成されていることを特徴とする請求項１〜３のいずれか１の請求項に記載の内燃機関の動弁装置。
【請求項５】
前記カムフォークは、その反カム面側の側面が、軸方向において前記転がり軸受の反カム面側の端面よりカム面側に配置されるように設けられていることを特徴とする請求項１〜４のいずれか１の請求項に記載の内燃機関の動弁装置。
【発明の詳細な説明】
【技術分野】
【０００１】
本発明は、カムシャフトの軸方向にスライド可能に設けられる３次元カムを備える内燃機関の動弁装置に関する。
【背景技術】
【０００２】
従来、自動二輪車あるいは自動車等の内燃機関において、複数の気筒を並列配置し、アクセル開度に応じて、それぞれの気筒ごとにカムシャフトに設けた３次元カムを軸方向にスライドさせることにより、バルブリフト量を無段階に可変制御する動弁装置を備えたものがある。
【０００３】
従来のこの種の内燃機関の動弁装置としては、例えば、カムシャフトの軸方向に平行に配置されたアクセルシャフトにアクセルフォークを取り付け、該アクセルフォークの先端部が、３次元カムの端部にベアリングを介して設けられたフォークガイドの溝に係合するように構成して、アクセルシャフトが軸方向にスライドするのに連動してアクセルフォークにより３次元カムをカムシャフトに沿ってスライドさせる駆動機構を備えたものが知られている（例えば、特許文献１参照）。
【先行技術文献】
【特許文献】
【０００４】
【特許文献１】特開２００４−２１１５９６号公報
【発明の概要】
【発明が解決しようとする課題】
【０００５】
しかしながら、上記した内燃機関の動弁装置では、フォークガイドやベアリングが３次元カムのカム高さの高い側の端部に設けられており、フォークガイドやベアリングを３次元カムにオーバーラップさせて配置することができないため、カムシャフトの軸方向の長さを短縮することができず、小型化が図り難いといった問題がある。
【０００６】
また、アクセルフォークの先端部をフォークガイドの溝に係合させる複雑な形状を有しているため、製造や加工に手間が掛かり、製造コストの低減化が図り難いといった問題もある。
【０００７】
本発明は上記した課題を解決すべくなされたものであり、小型化を図ると共に、製造の簡略化を図ることのできる内燃機関の動弁装置を提供することを目的とする。
【課題を解決するための手段】
【０００８】
上記した目的を達成するため、本発明は、シリンダヘッドに回転自在に設けられるカムシャフトと、該カムシャフトと一体に回転可能且つ該カムシャフトの軸方向にスライド可能に設けられる３次元カムと、前記カムシャフトに対して平行移動可能に設けられるカムフォークと、該カムフォークと前記３次元カムとの間に介装され該カムフォークの平行移動に伴って前記３次元カムをスライドさせる転がり軸受と、を備えた内燃機関の動弁装置において、前記３次元カムは前記カムシャフトの軸方向に対して一方向に傾斜するカム面を有し、前記転がり軸受は前記３次元カムのカム高さの低い側の端部に設けられていることを特徴とする。
【０００９】
この特徴により、前記カムフォークを３次元カムのカム高さの低い側のカム面にオーバーラップさせて配置させることができるため、前記カムシャフトの軸方向の長さを短縮することができ、動弁装置の小型化を図ることが可能となる。
【００１０】
また、本発明に係る内燃機関の動弁装置において、前記転がり軸受は、前記３次元カムの端部の径方向外側に設けられる内輪と、該内輪の径方向外側に転動体を介して設けられる外輪と、を備え、前記カムフォークは前記外輪の軸方向側端面に当接するように設けられていることを特徴とする。
【００１１】
この特徴によれば、汎用の部品である転がり軸受を使用して前記カムフォークを３次元カムに係合させることができるため、製造や加工が容易となり、製造コストの低減化を図ることが可能となる。
【００１２】
また、本発明に係る内燃機関の動弁装置において、前記カムフォークは、前記カム面側の前記外輪の端面に当接してカム高さの低い側のカム面にオーバーラップするように設けられていることを特徴とする。
【００１３】
この特徴によれば、前記カムフォークを３次元カムのカム高さの低い側のカム面にオーバーラップさせて配置させることができるため、前記カムシャフトの軸方向の長さを短縮することができ、動弁装置の小型化を図ることが可能となる。
【００１４】
また、本発明に係る内燃機関の動弁装置において、前記カムフォークの先端部は軸方向に二股状に形成され、前記一方の先端部が前記カム面側の前記外輪の端面に当接し、前記他方の先端部が前記外輪の径方向外側に設けられる当接部材の反カム面側端面に当接するように形成されていることを特徴とする。
【００１５】
この特徴によれば、汎用の部品である転がり軸受や当接部材を使用して前記カムフォークを３次元カムに係合させることができるため、製造や加工が容易となり、製造コストの低減化を図ることが可能となる。
【００１６】
また、本発明に係る内燃機関の動弁装置において、前記カムフォークは、その反カム面側の側面が、軸方向において前記転がり軸受の反カム面側の端面よりカム面側に配置されるように設けられていることを特徴とする。
【００１７】
この特徴によれば、前記カムシャフトの軸方向の長さをさらに短縮させることができ、動弁装置のさらなる小型化を図ることが可能となる。
【発明の効果】
【００１８】
本発明によれば、動弁装置の小型化を図ることができると共に、製造の簡略化を図ることができる等、種々の優れた効果を得ることができる。
【図面の簡単な説明】
【００１９】
【図１】本発明の実施の形態に係る動弁装置を備えた自動二輪車を示す右側面図である。
【図２】本発明の実施の形態に係る動弁装置を備えたエンジンを示す平面図である。
【図３】図２のＡ−Ａ断面図である。
【図４】図３のＢ−Ｂ断面図である。
【図５】図３のＣ部分の拡大図である。
【図６】本発明の実施の形態におけるカムハウジングを示す平面図である。
【発明を実施するための形態】
【００２０】
以下、図面を参照しつつ、本発明の実施の形態に係る内燃機関の動弁装置について詳細に説明する。なお、本発明に係る内燃機関の動弁装置は、自動二輪車あるいは四輪自動車に搭載される各種のガソリンエンジンを備える車両に対して有効に適用可能であるが、以下の本発明の実施の形態の説明では、図１に示すように自動二輪車１のエンジン２に適用した場合について例示して説明する。また、以下の説明において、前後、左右、上下の方向は、自動二輪車１に乗車したライダーから見た方向を基準とする。
【００２１】
図１は、本発明の実施の形態に係る動弁装置を備えた自動二輪車１を示す右側面図である。自動二輪車１は、車体フレーム３と、車体フレーム３に搭載されたエンジン２と、車体フレーム３の前端部に軸支されたステアリング機構４と、ステアリング機構４の下端部に軸支された前輪５と、ステアリング機構４に設けられた前輪懸架装置６と、車体フレーム３の後部に上下方向へ揺動自在に軸支されたスイングアーム７と、スイングアーム７の後端部に軸支された後輪８と、車体フレーム３とスイングアーム７との間に連結された後輪懸架装置９と、を備えて構成されている。
【００２２】
車体フレーム３は、例えばツインチューブ型のものであり、前端部に配置されたヘッドパイプ１０と、ヘッドパイプ１０の直後で左右方向に拡開させて斜め後下方に延びるタンクレールを兼ねた左右一対のメインフレーム１１と、メインフレーム１１の後端部に一体に設けられて略下方に向かって延びる左右一対のセンターフレーム１２と、メインフレーム１１の後端部から斜め後上方に延びる左右一対のシートレール１３と、を備えて構成されている。
【００２３】
ヘッドパイプ１０は、ステアリングシャフト（図示省略）を介してステアリング機構４を軸支している。また、センターフレーム１２は、その長手方向の略中央部に架設されたピボット軸１４を支持し、ピボット軸１４は、スイングアーム７を軸支している。さらに、メインフレーム１１及びシートレール１３は、燃料タンク１５を下方から支持している。
【００２４】
エンジン２は、自動二輪車１の中央下部、より詳しくはメインフレーム１１の下方に配置されている。なお、エンジン２の構成については、後述する。
【００２５】
ステアリング機構４は、ヘッドパイプ１０及び前記ステアリングシャフトによって自動二輪車１の左右方向へ回動自在に軸支されている。ステアリング機構４は、前記ステアリングシャフトに軸支されたステアリングヘッドに設けられた左右一対のフロントフォーク１６と、フロントフォーク１６の上端近傍またはステアリングヘッドに設けられた一対のハンドルバー１７と、を備えている。左右それぞれのハンドルバー１７は、ハンドルグリップ１８を備えており、右側に配置されたハンドルグリップ１８は、スロットルグリップである。
【００２６】
前輪５は、ステアリング機構４のハンドルバー１７によって左右に回動自在に操舵され、前輪車軸１９によってフロントフォーク１６に軸支された前輪ホイール２０と、前輪ホイール２０の外周部に被着された前輪タイヤ２１と、前輪ホイール２０にボルトなどの締結部材（図示省略）によって固定された前輪ブレーキプレート２２と、を備えて構成されている。
【００２７】
スイングアーム７の前端部は、センターフレーム１２の上下方向において略中央に設けられたピボット軸１４に軸支されている。
【００２８】
後輪１３は、後輪車軸２３によってスイングアーム７に軸支された後輪ホイール２４と、後輪ホイール２４の外周部に被着された後輪タイヤ２５と、後輪ホイール２４にボルトなどの締結部材（図示省略）によって固定された後輪ブレーキプレート２６と、を備えて構成されている。
【００２９】
後輪懸架装置９は、後輪８が捕らえた路面の凹凸によるスイングアーム７の上下方向の揺動を車体フレーム３に伝えないようにする緩衝装置であり、後輪８を路面に押さえ付ける機能を兼ねており、スプリングとショックアブソーバーとを組み合わせたサスペンションユニット（いずれも図示省略）を備えている。
【００３０】
また、自動二輪車１は、車両の少なくとも一部、例えば、前部から中央下部にかけて流線形のカウリング２７に覆われており、このカウリング２７は、自動二輪車１の走行中の空気抵抗を低減させるとともに、走行風圧からライダーを保護するように形成されている。カウリング２７は、車両の前部を覆うフロントカバー２８と、車両の後方を覆うシートカウル２９と、を備えており、シートカウル２９は着座シート３０を支持している。
【００３１】
次に、本発明の実施の形態に係る動弁装置を備えたエンジン２について詳細に説明する。
【００３２】
図２はヘッドカバー及びボールスクリューカバーを取り外した状態のエンジン２を示す平面図、図３は図２のＡ−Ａ断面図、図４は図３のＢ−Ｂ断面図、図５は図３のＣ部分の拡大図、図６はカムハウジングを示す平面図である。
【００３３】
エンジン２は、例えば４気筒エンジンであって、図示しないシリンダブロックの上面において略上方に向けて配設されるシリンダヘッド４０と、シリンダヘッド４０の上部に設けられるカムハウジング４１と、シリンダヘッド４０及びカムハウジング４１の上側を覆うヘッドカバー（図示省略）と、を備えて構成されており、シリンダヘッド４０に動弁装置が設けられている。
【００３４】
シリンダヘッド４０には、シリンダヘッド４０の幅方向すなわち車体前後方向の略中央部に、４基のスパークプラグ４２が車体左右方向に等間隔で配設されており、これらのスパークプラグ４２を挟んで車体前方側には吸気ポート４３が斜め上方に向かって開口され、車体後方側には排気ポート４４が斜め下方に向かって開口されている。
【００３５】
また、シリンダヘッド４０の上部には、下半円形状の複数の吸気側カムシャフト受部４７及び排気側カムシャフト受部４８がスパープラグ４２を挟んで千鳥掛けに配設されており、吸気側カムシャフト受部４７及び排気側カムシャフト受部４８の上に、互いに平行を成すように吸気側カムシャフト４５及び排気側カムシャフト４６が軸支される。
【００３６】
吸気側カムシャフト４５の一方の端部（本実施の形態では、右端部）には吸気側スプロケット５１が一体に回転可能に取り付けられ、排気側カムシャフト４６の一方の端部には排気側スプロケット５２が一体に回転可能に取り付けられている。吸気側カムシャフト４５及び排気側カムシャフト４６は、チェーンケース５３に覆われるタイミングチェーン５４により掛け渡されて回転駆動するように構成されており、タイミングチェーン５４はタイミングチェーン５４の上方に配設されたタイミングチェーンガイド５５により適正に走行するようになっている。また、シリンダヘッド４０には、吸気側カムスプロケット５１の回転を検出するカムポジションセンサ５６が取付けられている。
【００３７】
カムハウジング４１は、シリンダヘッド４０に支持される吸気側カムシャフト４５の上方に形成される吸気側カムハウジング６０と、シリンダヘッド４０に支持される排気側カムシャフト４６の上方に形成される排気側カムハウジング６１と、を備えている。
【００３８】
吸気側カムハウジング６０には、前記一方の端部から他方の端部（本実施の形態では、左側）に向かって順に、第１〜第５の吸気側支持部６２ａ，６２ｂ，６２ｃ，６２ｄ，６２ｅがシリンダヘッド４０の吸気側カムシャフト受部４７に対応する位置にそれぞれ形成されている。各吸気側支持部６２ａ，６２ｂ，６２ｃ，６２ｄ，６２ｅは相互に一体に連結されており、各吸気側支持部６２ａ，６２ｂ，６２ｃ，６２ｄ，６２ｅの間には後述するカムフォーク９４のスライド範囲に合せてそれぞれ開口部６４が形成されている。
【００３９】
各吸気側支持部６２ａ，６２ｂ，６２ｃ，６２ｄ，６２ｅには、吸気側カムシャフト４５を上方から軸支可能なように上半円形状の上向き凹部６３がそれぞれ形成されており、この上向き凹部６３と吸気側カムシャフト受部４７とに沿って装着されたベアリング４９によって吸気側カムシャフト４５は軸支される。
【００４０】
各吸気側支持部６２ａ，６２ｂ，６２ｃ，６２ｄ，６２ｅの上部には、それぞれ軸受部６５ａ，６５ｂ，６５ｃ，６５ｄ，６５ｅが形成されており、各軸受部６５ａ，６５ｂ，６５ｃ，６５ｄ，６５ｅにはそれぞれ円柱形状の軸受穴６６が形成されている。各軸受穴６６には、フォークシャフト９０がその軸方向にスライド可能に支持されており、平面視で吸気側カムシャフト４５を挟んでフォークシャフト９０の反対側（すなわち、車体前方側）の位置に、フォークシャフト９０の駆動機構を構成する、モータ９３、ボールスクリュー９１及びギア群９２等が吸気側カムハウジング６０の上部に取り付けられている。フォークシャフト９０は、ボールスクリュー９１及びギア群９２を介してモータ９３の出力軸に接続されており、これにより、フォークシャフト９０は、モータ９３の作動によりその軸方向に所望量スライド移動するようになっている。
【００４１】
吸気側支持部６２ａ，６２ｂ，６２ｃ，６２ｄ，６２ｅの前端部及び後端部には、吸気側カムハウジング６０をシリンダヘッド４０に固定するためのボルト６７を螺挿可能な吸気側固定部６８ａ，６８ｂ，６８ｃ，６８ｄ，６８ｅがそれぞれ形成されている。
【００４２】
一方、排気側カムハウジング６１には、前記一方の端部から他方の端部に向かって順に、第１〜第４の排気側支持部７２ａ，７２ｂ，７２ｃ，７２ｄがシリンダヘッド４０の排気側カムシャフト受部４８に対応する位置にそれぞれ形成されている。各排気側支持部７２ａ，７２ｂ，７２ｃ，７２ｄは相互に一体に連結されており、前記一方の端部側の第１の排気側支持部７２ａと第２の排気側支持部７２ｂとの間には円柱形状のオイルプラグ７４用の嵌合凹部７５が形成されている。
【００４３】
各排気側支持部７２ａ，７２ｂ，７２ｃ，７２ｄには、排気側カムシャフト４６を上方から軸支可能なように上半円形状の上向き凹部（図示省略）がそれぞれ形成されており、この上向き凹部と排気側カムシャフト受部４８とに沿って装着されたベアリング（図示省略）によって排気側カムシャフト４６は軸支される。
【００４４】
各排気側支持部７２ａ，７２ｂ，７２ｃ，７２ｄの前端部及び後端部には、排気側カムハウジング６１をシリンダヘッド４０に固定するためのボルト６７を螺挿可能な排気側固定部７６ａ，７６ｂ，７６ｃ，７６ｄがそれぞれ形成されている。
【００４５】
第１の排気側支持部７２ａの前端部の排気側固定部７６ａはリブ状の第１補強部材７７ａにより第１の吸気側支持部６２ａの後端部の吸気側固定部６８ａに連結され、第１補強部材７７ａは吸気側固定部６８ａと排気側固定部７６ａとの間に平面視で斜め方向に掛け渡されている。
【００４６】
第２の排気側支持部７２ｂの前端部の排気側固定部７６ｂはリブ状の第２補強部材７７ｂにより第３の吸気側支持部６２ｃの後端部の吸気側固定部６８ｃに連結され、第３の排気側支持部７２ｃの前端部の排気側固定部７６ｃはリブ状の第３補強部材７７ｃにより第３の吸気側支持部６２ｃの後端部の吸気側固定部６８ｃに連結されている。すなわち、第２補強部材７７ｂは吸気側固定部６８ｃと排気側固定部７６ｂとの間に平面視で第１補強部材７７ａの反対側斜め方向に掛け渡され、第３補強部材７７ｃは吸気側固定部６８ｃと排気側固定部７６ｃとの間に平面視で第１補強部材７７ａと同一側斜め方向に掛け渡されており、第２補強部材７７ｂと第３補強部材７７ｃとで逆Ｖ字状を形成するように配置されている。
【００４７】
第４の排気側支持部７２ｄの前端部の排気側固定部７６ｄはリブ状の第４補強部材７７ｄにより第５の吸気側支持部６２ｅの後端部の吸気側固定部６８ｅに連結されており、第４補強部材７７ｄは吸気側固定部６８ｅと排気側固定部７６ｄとの間に平面視で第１補強部材７７ａと反対側斜め方向に掛け渡されている。
【００４８】
吸気側カムハウジング６０と排気側カムハウジング６１とは、前記一方の端部側から他方の端部に向かって順に、第１〜第５の連結部材７８ａ，７８ｂ，７８ｃ，７８ｄ，７８ｅにより相互に連結されている。
【００４９】
第１〜第５の連結部材７８ａ，７８ｂ，７８ｃ，７８ｄ，７８ｅは、排気側カムハウジング６１の上部から吸気側カムハウジング６０に向かって下方に傾斜するように形成され、リブが設けられている。第１の連結部材７８ａは、吸気側カムハウジング６０及び排気側カムハウジング６１のそれぞれの一方の端部同士を連結し、また、第２の連結部材７８ｂは、第２の吸気側支持部６２ｂの後端部の吸気側固定部６８ｂと嵌合凹部７５とを連結し、さらに、第３の連結部材７８ｃは、第３の吸気側支持部６２ｃの後端部の吸気側固定部６８ｃと、排気側カムハウジング６１の第２の排気側支持部７２ｂと第３の排気側支持部７２ｃとの間の部分と、を連結し、さらに、第４の連結部材７８ｄは、第４の吸気側支持部６２ｄの後端部の吸気側固定部６８ｄと排気側カムハウジング６１の第３の排気側支持部７２ｃと第４の排気側支持部７２ｄとの間の部分とを連結し、さらに、第５の連結部材７８ｅは、吸気側カムハウジング６０及び排気側カムハウジング６１のそれぞれの他方の端部同士を連結している。
【００５０】
図６に示されているように、排気側カムハウジング６１の中央内部には、左右方向直線状にメインオイル通路８０が形成されており、メインオイル通路８０の他方の端部にはシリンダヘッド４０からのオイルの入口部８１が設けられている。
【００５１】
第１の連結部材７８ａ及び第３〜第５の連結部材７８ｃ，７８ｄ，７８ｅの内部には、メインオイル通路８０に直接連通するオイル連通路８２ａ，８２ｃ，８２ｄ，８２ｅがそれぞれ形成されており、また、第２の連結部材７８ｂの内部には、嵌合凹部７５に嵌合するオイルプラグ７４（図２参照）の外周面に形成されたオイル溝（図示省略）を介してメインオイル通路８０に連通するオイル連通路８２ｂが形成されている。
【００５２】
吸気側カムハウジング６０の第１〜第５の吸気側支持部６２ａ，６２ｂ，６２ｃ，６２ｄ，６２ｅの内部には、オイル連通路８２ａ，８２ｂ，８２ｃ，８２ｄ，８２ｅとそれぞれ連通するようにオイル通路８３ａ，８３ｂ，８３ｃ，８３ｄ，８３ｅが形成されており、各オイル通路８３ａ，８３ｂ，８３ｃ，８３ｄ，８３ｅは、それぞれ軸受部６５ａ，６５ｂ，６５ｃ，６５ｄ，６５ｅの各軸受穴６６（図４参照）に連通するように形成されている。
【００５３】
また、第２〜第５の吸気側支持部６２ｂ，６２ｃ，６２ｄ，６２ｅの内部には、シリンダヘッド４０の動弁装置１００を構成するタペット（図示省略）用のオイルジェット孔７９ｂ，７９ｃ，７９ｄ，７９ｅが形成されている。
【００５４】
さらに、第４の吸気側支持部６２ｄの内部には、カムポジションセンサ５６のケース内のシャフト潤滑用のオイル通路８４ｄが形成されている。
【００５５】
次に、主に図２〜図５を参照しつつ、本発明の実施の形態に係る動弁装置について説明する。なお、動弁装置は吸気側と排気側に設けられているが、排気側の動弁装置は、基本的な構成において吸気側の動弁装置と同様であるので、説明の簡略化のため、その構成についての説明は省略し、以下の説明では、吸気側の動弁装置１００についてのみ説明する。
【００５６】
吸気側の動弁装置１００には、吸気側カムシャフト４５が４気筒に跨って延設されており、吸気側カムシャフト４５には４気筒に対応して４個のカム８５が装着されている。カム８５は３次元カムであり、吸気側カムシャフト４５と一体に回転可能且つ該吸気側カムシャフト４５の軸方向にスライド可能に設けられている。また、カム８５は、吸気側カムシャフト４５の軸方向に対して一方向に傾斜するカム面８６（図５参照）を有しており、バルブリフト量を連続的に変化させる形状を有している。この場合、カム８５は、カム高さと同時にカム作用角及びリフトタイミングも変化するように形成されており、バルブリフト量が大きくなるのに従ってカム作用角が大きくなり、更にはバルブのリフトタイミングも変化させ得るように設定されている。
【００５７】
吸気側カムシャフト４５とカム８５との間にはキー（図示省略）が介装されており、吸気側カムシャフト４５に対するカム８５の相対的な回転が規制されると共に、カム８５が吸気側カムシャフト４５に沿ってスライド可能となっている。
【００５８】
フォークシャフト９０には、各カム８５に対応して４個のカムフォーク９４が支持されている。各カムフォーク９４はフォークシャフト９０と一体にその軸方向にスライド可能に設けられ、吸気側カムシャフト４５に対して平行移動可能となっている。カムフォーク９４は、フォークシャフト９０に対して直交する方向の吸気側カムシャフト４５側へ延出するように形成されている。
【００５９】
図５に最も良く示されているように、カムフォーク９４の先端部９４ａ，９４ｂは吸気側カムシャフト４５の軸方向に二股状に形成されており、カムフォーク９４のカム面８６側の先端部９４ａは、カム面８６の反対側（以下「反カム面」と言う。）の先端部９４ｂより吸気側カムシャフト４５側に長く形成されている。
【００６０】
カム８５のカム高さの低い側（ローリフト側）の端部９５には、カムフォーク９４との間に転がり軸受９６が装着されている。転がり軸受９６は、カム８５の径方向外側に設けられる内輪９６ａと、内輪９６ａの径方向外側に転動体９６ｂを介して設けられる外輪９６ｃと、を備えて構成されている。
【００６１】
カムフォーク９４のカム面８６側の先端部９４ａは、転がり軸受９６の外輪９６ｃのカム面８６側の端面に当接しており、その一部分がカム面８６のローリフト側にオーバーラップするように形成されている。
【００６２】
転がり軸受９６の外輪９６ｃの径方向外側には、当接部材としてのベアリングリング９７がＣリング９８を介して装着されており、ベアリングリング９７は転がり軸受９６の軸方向中心位置よりカム面８６側に片寄った位置に配置されている。カムフォーク９４の反カム面側の先端部９４ｂは、ベアリングリング９７の反カム面側の端面に当接しており、カムフォーク９４の反カム面側の側面９４ｃが、軸方向において転がり軸受９６の反カム面側の端面９６ｄよりカム面８６側に配置されるように設けられている。
【００６３】
吸気側カムシャフト４５は中空構造を有しており、その中空内部がオイル通路８７となっており、図３に示されているように、オイル通路８７の左右両端部はそれぞれプラグ８８で塞がれている。また、吸気側カムシャフト４５にはカム８５の装着位置に対応して径方向にそれぞれカム用オイル孔８９が穿設されている。
【００６４】
図３〜図５に示されているように、吸気側カムシャフト４５の一方の端部には、別のオイル孔３１が穿設されており、このオイル孔３１に対応するように吸気側カムシャフト４５にはカムシャフトリング３２が嵌着されている。カムシャフトリング３２には、オイル孔３１に合致するようにカムシャフトリングオイル孔３３が穿設され、カムシャフトリング３２の外周面にはカムシャフトリングオイル孔３３に連通するように環状のリングオイル溝３４が形成されている。
【００６５】
なお、カムシャフトリング３２は必ずしも設置する必要はなく、カムシャフトリング３２を省略した場合には、リングオイル溝３４は吸気側カムシャフト４５の外周面に形成される。
【００６６】
カムシャフトリング３２の外周にはオイルサプライリング３５が遊嵌されており、オイルサプライリング３５の上半部分３５ａは吸気側カムハウジング６０の上向き凹部６３に形成された環状溝部３６に嵌合している。
【００６７】
オイルサプライリング３５の上半部分３５ａには、円弧状に切り欠きされた小径部３７が形成されている。この小径部３７の外周面と環状溝部３６の内周面の間には、円弧状のオイル路３８が形成されており、このオイル路３８は、第１の吸気側支持部６２ａのオイル通路８３ａの一部を構成している。また、オイルサプライリング３５には、このオイル路３８とカムシャフトリングオイル溝３４とを連通させるように径方向にオイルサプライリングオイル孔３９が形成されている。なお、このオイルサプライリングオイル孔３９は、図４では２本示されているが、１本又は３本以上設けられても良い。
【００６８】
オイルサプライリング３５の下半部分３５ｂは上半部分３５ａの小径部３７よりさらに小径の半円形状を有し、シリンダヘッド４０に嵌合しており、これにより、オイルサプライリング３５の回転が規制されるようになっている。また、オイルサプライリング３５の外周面と吸気側カムハウジング６０の環状溝部３６の内周面との間にはクリアランス９９が形成されている。
【００６９】
このような構成の動弁装置１００を備えたエンジン２において、アクセル操作すると、モータ９３が作動し、モータ９３の出力軸の回転によってボールスクリュー９１及びギア群９２を介してフォークシャフト９０がその軸方向に所望量スライド移動する。このフォークシャフト９０のスライド動作に伴い、各気筒において、カムフォーク９４がフォークシャフト９０の軸方向にスライドし、これにより、カム８５は吸気側カムシャフト４５に沿ってそれぞれスライドし、アクセル開度に応じてバルブリフト量及び作用角が無段階に可変制御される。そして、アイドル回転域から全開域まで吸排気量が好適にコントロールされ、エンジン回転数（又は車両速度）に最も適した吸排気が行われる。
【００７０】
この時、シリンダヘッド４０からの潤滑オイルが入口部８１からメインオイル通路８０、オイル連通路８２ａ，８２ｂ，８２ｃ，８２ｄ，８２ｅ、及び第１〜第５の吸気側支持部６２ａ，６２ｂ，６２ｃ，６２ｄ，６２ｅのオイル通路８３ａ，８３ｂ，８３ｃ，８３ｄ，８３ｅを通って、軸受部６５ａ，６５ｂ，６５ｃ，６５ｄ，６５ｅの各軸受穴６６に供給される。
【００７１】
また、第１の吸気側支持部６２ａのオイル通路８３ａの円弧状のオイル路３８、オイルサプライリングオイル孔３９、リングオイル溝３４、カムシャフトリングオイル孔３３、吸気側カムシャフト４５のオイル孔３１、オイル通路８７、及びそれぞれのカム用オイル孔８９を通って、吸気側カムシャフト４５と各カム８５の間に潤滑オイルが供給される。
【００７２】
さらに、第２〜第５の吸気側支持部６２ｂ，６２ｃ，６２ｄ，６２ｅの内部のオイルジェット孔７９ｂ，７９ｃ，７９ｄ，７９ｅを介してシリンダヘッド４０の動弁装置を構成するタペットに潤滑オイルが供給されると共に、第４の吸気側支持部６２ｄの内部のオイル通路８４ｄを介してカムポジションセンサ５６のケース内のシャフトに潤滑オイルが供給される。
【００７３】
上記した本発明の実施の形態に係る動弁装置１００によれば、カム８５のカム高さの低い側の端部９５にカムフォーク９４を３次元カム８５に係合させる転がり軸受９６が設けられており、カムフォーク９４をカム高さの低い側のカム面８６にオーバーラップさせて配置させることができるため、カムシャフトの軸方向の長さを短縮させることができ、動弁装置の小型化を図ることが可能となる。
【００７４】
また、カムフォーク９４の先端部９４ａ，９４ｂが軸方向に二股状に形成され、汎用の部品である転がり軸受９６やベアリングリング９７を挟み込む簡単な構成となっているため、動弁装置１００の製造や加工の手間の簡略化を図ることができ、製造コストの低減化を図ることができる。
【００７５】
また、カムフォーク９４の反カム面側の側面９４ｃが、軸方向において反カム面側の転がり軸受９６の端面９６ｄよりカム面側に配置されるように設けられているため、カムシャフトの軸方向の長さをさらに短縮させることができ、動弁装置のさらなる小型化を図ることが可能となる。
【００７６】
なお、上記した実施の形態の説明では、本発明に係る内燃機関の動弁装置における好適な実施の形態について説明しているため、技術的に好ましい種々の限定を付している場合もあるが、本発明の技術範囲は、特に本発明を限定する記載がない限り、これらの態様に限定されるものではない。すなわち、上記した本発明の実施の形態におけるすべての構成要素は、適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００７７】
４０            シリンダヘッド
４５            吸気側カムシャフト
４６            排気側カムシャフト
８５            カム
８６            カム面
９０            フォークシャフト
９４            カムフォーク
９４ａ          カムフォークの先端部
９４ｂ          カムフォークの先端部
９４ｃ          カムフォークの反カム面側の側面
９５            カム高さの低い側の端部
９６            転がり軸受
９６ａ          内輪
９６ｂ          転動体
９６ｃ          外輪
９６ｄ          転がり軸受の反カム面側の端面
【図１】
2013155648.tif 000003
【図２】
2013155648.tif 000004
【図３】
2013155648.tif 000005
【図４】
2013155648.tif 000006
【図５】
2013155648.tif 000007
【図６】
2013155648.tif 000008